(57)【要約】【課題】専用の表示部を設けることなく、蓄電池の蓄電状態を表示することにより、照明装置を小型化する。【解決手段】光源回路１４は、光を発する光源を有する。蓄電回路１２は、電力を蓄積する蓄電池を有する。蓄電回路１２は、外部電源９１から供給される電力により蓄電池を充電する。点灯回路１１は、停電などにより外部電源９１からの電力供給が停止した場合に、蓄電池に蓄積された電力を光源に対して供給して、光源を点灯する。蓄電状態表示回路は、蓄電池の蓄電状態が所定の状態である場合に、電力を上記光源に対して供給して、光源を点灯する。【選択図】図２
2014032853.tif 000002
【特許請求の範囲】
【請求項１】
光を発する光源と、
電力を蓄積する蓄電池と、
上記蓄電池に蓄積された電力を上記光源に対して供給して、上記光源を点灯する点灯回路と、
上記蓄電池の蓄電状態が所定の状態である場合に、電力を上記光源に対して供給して、上記光源を点灯する蓄電状態表示回路と
を有することを特徴とする照明装置。
【請求項２】
上記照明装置は、光を発する第二の光源を有し、
上記点灯回路は、上記蓄電池に蓄積された電力を上記第二の光源とに対して供給して、上記第二の光源を点灯し、
上記蓄電状態表示回路は、上記第二の光源に対して電力を供給せず、上記第二の光源を点灯しない
ことを特徴とする請求項１に記載の照明装置。
【請求項３】
上記第二の光源は、上記光源と異なる色の光を発し、
上記照明装置は、上記点灯回路が上記光源と上記第二の光源とを点灯したとき、上記光源が発した光と、上記第二の光源が発した光とを混合した光を放射する
ことを特徴とする請求項２に記載の照明装置。
【請求項４】
上記蓄電状態表示回路は、上記光源を、上記点灯回路が点灯するときの明るさよりも暗い明るさで点灯することを特徴とする請求項１乃至請求項３のいずれかに記載の照明装置。
【請求項５】
上記蓄電状態表示回路は、上記光源を、上記点灯回路が点灯するときの色と異なる色で点灯することを特徴とする請求項１乃至請求項４のいずれかに記載の照明装置。
【発明の詳細な説明】
【技術分野】
【０００１】
この発明は、照明装置に関する。
【背景技術】
【０００２】
蓄電池に電力を蓄積しておき、蓄電池に蓄積した電力により光源を点灯する照明装置がある。
このような照明装置において、蓄電池の蓄電状態を表示するための表示部を設ける場合がある。
【先行技術文献】
【特許文献】
【０００３】
【特許文献１】特開２００９−１０４９２３号公報
【発明の概要】
【発明が解決しようとする課題】
【０００４】
照明装置を小型化するに当たり、表示部の配置が障害となる場合がある。例えば、表示部を光源の近くに配置すると、光源が発した光を遮り、発光効率が低下する場合がある。特に、天井面や壁面などに埋め込んで使用される埋め込み型の照明装置の場合、室内に露出する面積が小さいので、照明装置を小型化することが難しい。
この発明は、例えば、専用の表示部を設けることなく、蓄電池の蓄電状態を表示することにより、照明装置を小型化することを目的とする。
【課題を解決するための手段】
【０００５】
この発明にかかる照明装置は、光を発する光源と、電力を蓄積する蓄電池と、上記蓄電池に蓄積された電力を上記光源に対して供給して、上記光源を点灯する点灯回路と、上記蓄電池の蓄電状態が所定の状態である場合に、電力を上記光源に対して供給して、上記光源を点灯する蓄電状態表示回路とを有することを特徴とする。
【発明の効果】
【０００６】
この発明にかかる照明装置によれば、専用の表示部を設けることなく、蓄電池の蓄電状態を表示するので、照明装置を小型化することができる。
【図面の簡単な説明】
【０００７】
【図１】実施の形態１における非常用照明装置１０の外観を示す斜視図。
【図２】実施の形態１における非常用照明装置１０の構成を示すブロック図。
【図３】実施の形態１における非常用照明装置１０の具体的な構成を示す回路図。
【図４】実施の形態１における蓄電池２２の両端電圧と、光源４１を流れる電流との関係を示すグラフ図。
【図５】実施の形態２における非常用照明装置１０の具体的な構成を示す回路図。
【図６】実施の形態２における蓄電池２２の両端電圧と、光源４１を流れる電流との関係を示すグラフ図。
【図７】実施の形態３における非常用照明装置１０の具体的な構成を示す回路図。
【図８】実施の形態３における蓄電池２２の両端電圧と、光源４１を流れる電流との関係を示すグラフ図。
【図９】実施の形態４における非常用照明装置１０の具体的な構成を示す回路図。
【図１０】実施の形態５における非常用照明装置１０の具体的な構成を示す回路図。
【図１１】実施の形態６における非常用照明装置１０の具体的な構成を示す回路図。
【図１２】実施の形態７における非常用照明装置１０の具体的な構成を示す回路図。
【発明を実施するための形態】
【０００８】
実施の形態１．
実施の形態１について、図１〜図４を用いて説明する。
【０００９】
図１は、この実施の形態における非常用照明装置１０の外観を示す斜視図である。
【００１０】
非常用照明装置１０（照明装置）は、停電時などの非常時に点灯することにより、室内にいる人の避難を助けることを目的とした照明装置である。非常用照明装置１０は、例えば円柱形状である。非常用照明装置１０は、例えば天井面に埋め込まれ、室内に底面部分が露出した状態で設置される。非常用照明装置１０は、例えば、光源４１と、開口１０１と、点検スイッチ１０２とを有する。
【００１１】
光源４１は、電気エネルギーにより光を発する。光源４１は、例えば白色ＬＥＤである。なお、光源４１は、複数あってもよい。
【００１２】
開口１０１は、光源４１が発した光が室内に放射されるよう、非常用照明装置１０の底面に設けられた開口穴である。なお、開口１０１は、カバーで覆われている構成であってもよい。カバーは、透明あるいは半透明である。カバーは、光源４１が発した光を透過する。カバーは、光源４１に埃などの汚れが付着するのを防ぐ。更に、例えば酸化チタンなどセルフクリーニング作用のある透明材料をカバーに塗布した構成であってもよい。セルフクリーニング作用とは、光触媒が所定の波長の光を吸収することにより超親水作用を発現し、油性の汚れが定着せず、水が水滴とならずに流れ落ちるので、表面が洗浄される作用のことである。これにより、カバーの汚れを防ぐことができる。なお、光源４１が発する光に、光触媒が吸収する波長の光（例えば紫外線）が含まれる構成とすれば、光源４１を点灯することにより、セルフクリーニング作用を機能させることができるので望ましい。例えば、定期点検により６か月に１回光源４１を点灯させれば、そのたびにカバーに付着した汚れを落とすことができる。
【００１３】
点検スイッチ１０２（点検操作部）は、非常用照明装置１０がいざというときに正しく機能するかを点検するためのスイッチである。点検スイッチ１０２は、例えば押しボタンである。点検スイッチ１０２を操作すると、非常用照明装置１０は、模擬的に停電状態となる。そこで、法令で定められた時間（例えば６０分）の間、光源４１が点灯するかを確認することにより、非常用照明装置１０の点検を行う。点検スイッチ１０２は、室内にいる人が操作できるよう、室内に露出した部分に設けられている。点検スイッチ１０２は、例えば、非常用照明装置１０の底面に設けられる。非常用照明装置１０の側面の一部（例えば、底面に近い下側の部分）または全部が室内に露出して設置される場合、点検スイッチ１０２は、室内に露出する側面に設けられた構成であってもよい。点検スイッチ１０２を側面に設ければ、点検スイッチを設けるための部分を非常用照明装置１０の底面に設ける必要がないので、非常用照明装置１０の底面の大きさを、開口１０１の大きさに近くすることができる。これにより、非常用照明装置１０を設置した場所の美観を損なうのを防ぐことができるので、望ましい。
【００１４】
図２は、この実施の形態における非常用照明装置１０の構成を示すブロック図である。
【００１５】
非常用照明装置１０は、例えば、点灯回路１１と、蓄電回路１２と、蓄電状態表示回路１３と、光源回路１４とを有する。
蓄電回路１２は、商用交流電源などの外部電源９１から供給された電力を蓄える。
点灯回路１１は、停電などにより外部電源９１からの電力供給が途絶えた場合に、蓄電回路１２に蓄えられた電力を、光源回路１４に対して供給する。点灯回路１１は、蓄電回路１２に蓄えられた電力を、光源回路１４に供給する電力に変換する電力変換回路（コンバータ回路）である。
蓄電状態表示回路１３（モニタ点灯回路）は、蓄電回路１２に十分な電力が蓄えられている場合に、光源回路１４に対して電力を供給する。
光源回路１４は、点灯回路１１及び蓄電状態表示回路１３から供給された電力により、光源４１を点灯する。
【００１６】
点灯回路１１は、例えば、出力電圧を調整して、出力電流が所定の目標値になるよう制御する。点灯回路１１の出力電流は、光源回路１４を流れる。点灯回路１１の出力電流が所定の目標値（以下「停電時電流目標値」と呼ぶ。）になることにより、光源４１は、所定の明るさで点灯する。
蓄電状態表示回路１３が光源回路１４に電力を供給する場合、光源回路１４を流れる電流は、停電時電流目標値よりも小さい。したがって、点灯回路１１から電力が供給される場合と比べて、光源４１は、暗く点灯する。これにより、通常時（停電でない場合）における消費電力を抑えることができる。
【００１７】
このように、点灯回路１１から電力が供給される場合と、蓄電状態表示回路１３から電力が供給される場合とでは、光源４１の点灯状態が異なる。
【００１８】
図３は、この実施の形態における非常用照明装置１０の具体的な構成を示す回路図である。
【００１９】
蓄電回路１２は、例えば、充電回路２１と、蓄電池２２とを有する。
蓄電池２２（電池）は、電力を蓄える二次電池である。蓄電池２２は、例えばニッケル水素蓄電池である。
充電回路２１は、外部電源９１から供給される電力により、蓄電池２２を充電する。充電回路２１は、外部電源９１から供給された電力を、蓄電池２２を充電するのに適した電圧値／電流値をもつ電力に変換する電力変換回路（コンバータ回路）である。
【００２０】
光源回路１４は、例えば光源４１を有する。光源４１が複数ある場合、複数の光源４１は、例えば直列に電気接続している。
【００２１】
蓄電状態表示回路１３は、例えば、整流素子３１と、限流素子３２とを有する。整流素子３１と、限流素子３２とは、直列に接続している。整流素子３１と限流素子３２との直列回路は、蓄電回路１２の高電位側出力と、光源回路１４の高電位側入力との間に電気接続している。
整流素子３１は、例えばダイオードである。整流素子３１は、蓄電回路１２側から光源回路１４側へ向けて電流が流れる向きに接続されている。整流素子３１は、点灯回路１１の出力側から入力側へ電流が逆流するのを防ぐ。なお、点灯回路１１の出力電圧が点灯回路１１の入力電圧よりも低い電圧である場合、整流素子３１は、なくてもよい。
限流素子３２は、例えば抵抗である。限流素子３２は、蓄電回路１２から光源回路１４へ向けて流れる電流を制限する。
なお、点灯回路１１の低電位側入力と低電位側出力とは、点灯回路１１の内部で電気接続しているものとする。
【００２２】
図４は、この実施の形態における蓄電池２２の両端電圧と、光源４１を流れる電流との関係を示すグラフ図である。
【００２３】
横軸は、電圧を示す。縦軸は、電流を示す。実線８１は、蓄電池２２の両端電圧と、光源４１を流れる電流との関係を表わす。破線８２は、蓄電池２２が満充電されたときの両端電圧（以下「Ｖｍａｘ」と呼ぶ。）を表わす。破線８３は、整流素子３１の順方向降下電圧と、光源４１の順方向降下電圧とを合計した電圧（以下「Ｖ１」と呼ぶ。）を表わす。
【００２４】
蓄電池２２の両端電圧が電圧Ｖ１より低い場合、光源４１には電流が流れない。
蓄電池２２の両端電圧が電圧Ｖ１より高い場合（所定の状態）、光源４１に電流が流れる。限流素子３２が抵抗である場合、光源４１を流れる電流の値は、蓄電池２２の両端電圧と電圧Ｖ１との差に比例する。比例定数は、限流素子３２の抵抗値によって定まる。限流素子３２の抵抗値は、蓄電池２２の両端電圧が電圧Ｖｍａｘに達したときに光源４１を流れる電流の値が、所定の目標値（以下「満充電時電流目標値」と呼ぶ。）になるように、設定する。これにより、蓄電池２２が満充電されて、蓄電池２２の両端電圧が電圧Ｖｍａｘに達すると、満充電時電流目標値の電流が光源４１を流れ、光源４１が所定の明るさで点灯する。
【００２５】
満充電時電流目標値は、停電時電流目標値よりも小さい。例えば、満充電時電流目標値は、停電時電流目標値の２％以上１０％以下である。満充電時電流目標値が停電時電流目標値の２％未満であると、光源４１が点灯する明るさが暗くなり過ぎて、視認できない可能性がある。逆に、満充電時電流目標値が停電時電流目標値の１０％超であると、通常時の消費電力が大きくなり過ぎる。満充電時電流目標値が停電時電流目標値の２％以上１０％以下であれば、消費電力を抑えつつ、蓄電池２２が十分に充電されていることを利用者に通知することができる。
【００２６】
このように、蓄電池２２が十分に充電されていることを利用者に通知するために、専用の表示灯を用いるのではなく、停電時に点灯させる光源４１を用いる。専用の表示灯を設ける必要がないので、非常用照明装置１０を小型化することができる。また、非常用照明装置１０を構成する部品数を削減できるので、非常用照明装置１０の製造コストを抑えることができるとともに、非常用照明装置１０の信頼性を高めることができる。
【００２７】
蓄電池２２の蓄電状態を通知するために光源４１を点灯するが、そのとき光源４１を流れる電流は、定格電流と比べると非常に小さい。このため、光源４１を点灯したことによる劣化はほとんどない。したがって、光源４１の寿命は、蓄電池２２の蓄電状態を通知するために光源４１を使わない場合と、ほとんど変わらない。
【００２８】
実施の形態２．
実施の形態２について、図５〜図６を用いて説明する。
この実施の形態では、蓄電状態表示回路１３の構成の別の例について説明する。
なお、実施の形態１と共通する部分については、同一の符号を付し、説明を省略する。
【００２９】
図５は、この実施の形態における非常用照明装置１０の具体的な構成を示す回路図である。
【００３０】
蓄電状態表示回路１３は、例えば、整流素子３１と、限流素子３２と、定電圧素子３３とを有する。整流素子３１と、限流素子３２と、定電圧素子３３とは、直列に電気接続している。整流素子３１と限流素子３２と定電圧素子３３との直列回路は、蓄電回路１２の高電位側出力と、光源回路１４の高電位側入力との間に電気接続している。
整流素子３１及び限流素子３２は、実施の形態１と同様なので、説明を省略する。
定電圧素子３３は、両端電圧が所定の閾値電圧に達するとオンになり電流が流れる。定電圧素子３３は、例えば、ツェナーダイオードである。
【００３１】
図６は、この実施の形態における蓄電池２２の両端電圧と、光源４１を流れる電流との関係を示すグラフ図である。
【００３２】
横軸は、電圧を示す。縦軸は、電流を示す。実線８１は、蓄電池２２の両端電圧と、光源４１を流れる電流との関係を表わす。破線８２は、蓄電池２２が満充電されたときの両端電圧Ｖｍａｘを表わす。破線８４は、整流素子３１の順方向降下電圧と、定電圧素子３３の閾値電圧と、光源４１の順方向降下電圧とを合計した電圧（以下「Ｖ２」と呼ぶ。）を表わす。
【００３３】
蓄電池２２の両端電圧が電圧Ｖ２より低い場合、光源４１には電流が流れない。
蓄電池２２の両端電圧が電圧Ｖ２より高い場合（所定の状態）、光源４１に電流が流れる。限流素子３２が抵抗である場合、光源４１を流れる電流の値は、蓄電池２２の両端電圧と電圧Ｖ２との差に比例する。比例定数は、限流素子３２の抵抗値によって定まる。限流素子３２の抵抗値は、蓄電池２２の両端電圧が電圧Ｖｍａｘに達したときに光源４１を流れる電流の値が、満充電時電流目標値になるように、設定する。
【００３４】
電圧Ｖ２は、実施の形態１で説明した電圧Ｖ１よりも、定電圧素子３３の閾値電圧の分だけ高い。すなわち、蓄電池２２の両端電圧が電圧Ｖ１より高く、かつ電圧Ｖ２より低いとき、光源４１は点灯せず、蓄電池２２の両端電圧が電圧Ｖ２より高くなってはじめて、光源４１は点灯する。すなわち、この実施の形態における蓄電状態表示回路１３は、実施の形態１よりも十分に蓄電池２２が充電されるまで、光源４１を点灯しない。
実施の形態１では、蓄電池２２の両端電圧が電圧Ｖ１を超えれば、光源４１が点灯する。蓄電池２２の両端電圧が電圧Ｖ２より低く、蓄電池２２がまだあまり充電されていない場合、光源４１は、蓄電池２２が十分に充電されている場合よりも暗く点灯するが、それを見た人が、蓄電池２２が十分に充電されていると誤解する可能性がある。これに対し、この実施の形態では、蓄電池２２の両端電圧が電圧Ｖ２以下であれば光源４１が点灯しないので、誤解を防ぐことができる。
【００３５】
実施の形態３．
実施の形態３について、図７〜図８を用いて説明する。
この実施の形態では、蓄電状態表示回路１３の更に別の例について説明する。
なお、実施の形態１または実施の形態２と共通する部分については、同一の符号を付し、説明を省略する。
【００３６】
図７は、この実施の形態における非常用照明装置１０の具体的な構成を示す回路図である。
【００３７】
蓄電状態表示回路１３は、例えば、整流素子３１と、限流素子３２と、スイッチング素子３４と、２つの分圧抵抗３５，３６と、定電圧素子３７とを有する。
整流素子３１及び限流素子３２は、実施の形態１と同様なので、説明を省略する。
スイッチング素子３４は、例えばＰＮＰ型バイポーラトランジスタである。スイッチング素子３４は、制御端子（ベース端子）と、基準端子（エミッタ端子）と、出力端子（コレクタ端子）とを有する。スイッチング素子３４は、制御端子と基準端子との間の電位差が所定のオン電圧に達するとオンになり、基準端子と出力端子との間を電気接続する。
定電圧素子３７は、実施の形態２で説明した定電圧素子３３と同じく、両端電圧が所定の閾値電圧に達すると電流が流れる。定電圧素子３７は、例えば複数のダイオードを直列に接続したものである。
２つの分圧抵抗３５，３６は、直列に電気接続している。２つの分圧抵抗の直列回路は、蓄電池２２の両端に電気接続している。２つの分圧抵抗３５，３６は、分圧抵抗３５，３６の抵抗値によって定まる所定の分圧比で、蓄電池２２の両端電圧を分圧した電圧を生成する。
定電圧素子３７は、分圧抵抗３５と並列に電気接続している。したがって、分圧比によって定まる電圧が定電圧素子３７の閾値電圧を超えた場合であっても、分圧抵抗３５の両端電圧は、定電圧素子３７の閾値電圧までしか上昇しない。
スイッチング素子３４の制御端子は、２つの分圧抵抗３５，３６の接続点に電気接続している。スイッチング素子３４の基準端子は、限流素子３２を介して、蓄電池２２の高電位側出力に電気接続している。スイッチング素子３４の出力端子は、整流素子３１を介して、光源回路１４の高電位側入力に電気接続している。
【００３８】
図８は、この実施の形態における蓄電池２２の両端電圧と、光源４１を流れる電流との関係を示すグラフ図である。
【００３９】
横軸は、電圧を示す。縦軸は、電流を示す。実線８１は、蓄電池２２の両端電圧と、光源４１を流れる電流との関係を表わす。破線８２は、蓄電池２２が満充電されたときの両端電圧Ｖｍａｘを表わす。破線８５は、分圧抵抗３５の両端電圧がスイッチング素子３４のオン電圧に等しくなる電圧（以下「Ｖ３」と呼ぶ。）を表わす。破線８６は、分圧抵抗３５の両端電圧が定電圧素子３７の閾値電圧に等しくなる電圧（以下「Ｖ４」と呼ぶ。）を表わす。
【００４０】
蓄電池２２の両端電圧が電圧Ｖ３より低い場合、分圧抵抗３５の両端電圧がスイッチング素子３４のオン電圧より低いので、スイッチング素子３４がオフになり、光源４１には電流が流れない。
蓄電池２２の両端電圧が電圧Ｖ３より高い場合（所定の状態）、分圧抵抗３５の両端電圧がスイッチング素子３４のオン電圧より高いので、スイッチング素子３４がオンになり、光源４１に電流が流れる。このとき、光源４１を流れる電流は、限流素子３２を流れる電流によって発生する限流素子３２の両端電圧が分圧抵抗３５の両端電圧とスイッチング素子３４のオン電圧との差に一致する電流に制限される。限流素子３２が抵抗である場合、光源４１を流れる電流は、分圧抵抗３５の両端電圧とスイッチング素子３４のオン電圧との差に比例する。比例定数は、限流素子３２の抵抗値によって定まる。限流素子３２の抵抗値は、蓄電池２２の両端電圧が電圧Ｖ４に達したときに光源４１を流れる電流の値が、満充電時電流目標値になるように、設定する。
蓄電池２２の両端電圧が電圧Ｖ４より高い場合、分圧抵抗３５の両端電圧は、定電圧素子３７の閾値電圧にほぼ一致するので、光源４１を流れる電流は、それ以上大きくならない。
【００４１】
実施の形態２において、蓄電池２２の両端電圧が電圧Ｖｍａｘに達したとき光源４１を流れる電流は、電圧Ｖｍａｘと電圧Ｖ２との差に比例する。このため、電圧Ｖｍａｘや電圧Ｖ２に誤差があると、それに伴って、蓄電池２２の両端電圧が電圧Ｖｍａｘに達したとき光源４１を流れる電流にも誤差が生じる。
これに対し、この実施の形態では、電圧Ｖｍａｘや電圧Ｖ３に誤差があっても、蓄電池２２の両端電圧が電圧Ｖｍａｘに達したとき光源４１を流れる電流は変わらない。これにより、光源４１を所望の明るさで点灯することができる。
【００４２】
実施の形態４．
実施の形態４について、図９を用いて説明する。
この実施の形態では、光源回路１４の別の例について説明する。
なお、実施の形態１〜実施の形態３と共通する部分については、同一の符号を付し、説明を省略する。
【００４３】
図９は、この実施の形態における非常用照明装置１０の具体的な構成を示す回路図である。
【００４４】
光源回路１４は、例えば、光源４１と、光源４２とを有する。
光源４１は、実施の形態１で説明したものと同様なので、説明を省略する。
光源４２（第二の光源）は、光源４１と同様、電気エネルギーにより光を発する。光源４２は、例えば白色ＬＥＤである。なお、光源４２は、複数あってもよい。光源４２が複数ある場合、複数の光源４２は、例えば直列に電気接続している。
光源４１と光源４２とは、直列に電気接続している。蓄電状態表示回路１３の出力は、光源４１と光源４２との接続点に電気接続している。
【００４５】
点灯回路１１が光源回路１４に電力を供給する場合、光源４１，４２がともに点灯する。
蓄電状態表示回路１３が光源回路１４に電力を供給する場合、光源４１は点灯するが、光源４２は点灯しない。
【００４６】
実施の形態１では、光源４１を点灯する明るさで、停電時と満充電表示時とを区別する。これに対し、この実施の形態では、点灯する光源の数で、停電時と満充電表示時とを区別する。満充電時電流目標値は、停電時電流目標値と同じであってもよいし、停電時電流目標値よりも小さくてもよい。
満充電表示に光源４２を使わないので、光源４２の点灯時間が短くなり、光源４２の寿命を延ばすことができる。停電時に、万が一、光源４１が寿命により点灯しなかったとしても、光源４２が点灯するので、室内にいる人の避難を助けることができる。
【００４７】
また、光源４１と光源４２とは、異なる色の光を発する光源であってもよい。その場合、光源４１と光源４２と近接して配置し、開口１０１に白濁半透明のカバーを設けるなどして、非常用照明装置１０が、光源４１が発する光と光源４２が発する光とが混合した光を放射する構成とすることが望ましい。例えば、光源４１として、青緑色ＬＥＤを使用し、光源４２として、その補色である赤色ＬＥＤを使用して、両者を点灯すると白色になる構成とする。そうすれば、非常用照明装置１０は、停電時に白色の光を放射し、満充電表示時には、青緑色の光を放射する。
このように、光源４１が発する光の色と、光源４２が発する光の色とが異なる構成とすることにより、放射する光の色で、停電時と満充電表示時とを区別することができる。
【００４８】
なお、光源４２が複数ある場合、光源４１を開口１０１の中央に配置し、光源４１を取り囲むように光源４２を配置することが望ましい。また、光源４１が複数ある場合は、複数の光源４１を開口１０１の中央を中心とする回転対称に配置することが望ましい。これにより、見る角度によらず、光源４１を容易に視認することができる。
【００４９】
実施の形態５．
実施の形態５について、図１０を用いて説明する。
この実施の形態では、蓄電状態表示回路１３及び光源回路１４の更に別の例について説明する。
なお、実施の形態１〜実施の形態４と共通する部分については、同一の符号を付し、説明を省略する。
【００５０】
図１０は、この実施の形態における非常用照明装置１０の具体的な構成を示す回路図である。
【００５１】
非常用照明装置１０は、例えば、点灯回路１１と、蓄電回路１２と、蓄電状態表示回路１３と、光源回路１４と、整流素子５１とを有する。点灯回路１１及び蓄電回路１２は、実施の形態１と同様なので、説明を省略する。
【００５２】
光源回路１４は、例えば、光源４３と、３つの限流素子４７〜４９とを有する。
光源４３は、例えば、３つのＬＥＤチップ４３１〜４３３を１つにパッケージングしたフルカラーＬＥＤである。ＬＥＤチップ４３１は、緑色の光を発する緑色ＬＥＤである。ＬＥＤチップ４３２は、赤色の光を発する赤色ＬＥＤである。ＬＥＤチップ４３３は、青色の光を発する青色ＬＥＤである。
限流素子４７〜４９は、例えば抵抗である。限流素子４７は、ＬＥＤチップ４３１と直列に電気接続している。限流素子４７は、ＬＥＤチップ４３１を流れる電流を制限する。限流素子４８は、ＬＥＤチップ４３２と直列に電気接続している。限流素子４８は、ＬＥＤチップ４３２を流れる電流を制限する。限流素子４９は、ＬＥＤチップ４３３と直列に電気接続している。限流素子４９は、ＬＥＤチップ４３３を流れる電流を制限する。限流素子４７〜４９は、３つのＬＥＤチップ４３１〜４３３を流れる電流の比率が所定の比率になるよう、あらかじめ設定される。これにより、点灯回路１１から電力を供給されたとき、光源４３は、所定の色の光を発する。例えば、限流素子４７〜４９が抵抗である場合、点灯回路１１から電力を供給されたと、光源４３が白色光を発するよう、限流素子４７〜４９の抵抗値を設定する。
【００５３】
整流素子５１は、例えばダイオードである。整流素子５１は、点灯回路１１の出力と、光源回路１４の入力との間に電気接続している。整流素子５１は、蓄電状態表示回路１３が光源回路１４に供給した電力の影響が点灯回路１１の出力に及ぶのを防ぐことにより、点灯回路１１が動作しているか否かを蓄電状態表示回路１３が正しく判定できるようにする。
【００５４】
蓄電状態表示回路１３は、例えば、整流素子３１と、限流素子３２と、２つのスイッチング素子５２，５６と、プルアップ抵抗５３と、２つの分圧抵抗５４，５５とを有する。
整流素子３１及び限流素子３２は、実施の形態１と同様なので、説明を省略する。
スイッチング素子５２，５６は、例えばエンハンスメント型ｎＭＯＳＦＥＴである。スイッチング素子５２，５６は、制御端子（ゲート端子）と、基準端子（ソース端子）と、出力端子（ドレイン端子）とを有する。スイッチング素子５２，５６は、制御端子と基準端子との間の電位差が所定のオン電圧に達するとオンになり、基準端子と出力端子との間を電気接続する。
【００５５】
整流素子３１と限流素子３２とは、直列に電気接続している。整流素子３１と限流素子３２との直列回路は、蓄電回路１２の高電位側出力と、光源回路１４の高電位側入力との間に電気接続している。スイッチング素子５２の制御端子は、点灯回路１１の高電位側出力に電気接続している。スイッチング素子５２の基準端子は、点灯回路１１の低電位側出力に電気接続している。スイッチング素子５２の出力端子は、プルアップ抵抗５３を介して、蓄電回路１２の高電位側出力に電気接続している。２つの分圧抵抗５４，５５は、直列に電気接続している。２つの分圧抵抗５４，５５の直列回路は、スイッチング素子５２の出力端子と、点灯回路１１の低電位側出力との間に電気接続している。スイッチング素子５６は、限流素子４７と並列に電気接続している。スイッチング素子５６の制御端子は、２つの分圧抵抗５４，５５の接続点に電気接続している。
【００５６】
点灯回路１１が動作していない場合、スイッチング素子５２は、オフになる。蓄電池２２の両端電圧が所定の電圧より高くなると、整流素子３１及び限流素子３２を介して、光源回路１４に電流が流れる。これにより、光源４３が点灯する。スイッチング素子５６の制御端子−基準端子間には、蓄電池２２の両端電圧に比例する電圧が印加される。比例定数は、プルアップ抵抗５３と分圧抵抗５４と分圧抵抗５５との抵抗値によって定まる分圧比である。この電圧がスイッチング素子５６のオン電圧より高くなると、スイッチング素子５６がオンになり、限流素子４７の両端が短絡する。これにより、ＬＥＤチップ４３１を流れる電流の比率は、あらかじめ設定した値より大きくなる。逆に、ＬＥＤチップ４３２，４３３を流れる電流の比率は、あらかじめ設定した値より小さくなり、あるいは、０になる。これにより、光源４３は、緑色の光を発する。
点灯回路１１が動作している場合、スイッチング素子５２は、オンになる。２つの分圧抵抗５４，５５の直列回路の両端が短絡されるので、スイッチング素子５６の制御端子−基準端子間の電圧は、０になる。したがって、スイッチング素子５６は、オフになる。これにより、光源４３は、あらかじめ定められた色（例えば白色）の光を発する。
【００５７】
このように、発する光の色を変えることができる光源４３を使用し、点灯回路１１から電力が供給されたときと、蓄電状態表示回路１３から電力が供給されたときとで、光源４３が発する光の色を変える。これにより、非常用照明装置１０が放射する光の色で、停電時と満充電表示時とを区別することができる。
【００５８】
実施の形態６．
実施の形態６について、図１１を用いて説明する。
この実施の形態では、光源回路１４の更に別の例について説明する。
なお、実施の形態１〜実施の形態５と共通する部分については、同一の符号を付し、説明を省略する。
【００５９】
図１１は、この実施の形態における非常用照明装置１０の具体的な構成を示す回路図である。
【００６０】
光源回路１４は、例えば、光源４２と、光源４３と、３つの限流素子４７〜４９とを有する。光源４２は、実施の形態４で説明したものと同様なので、説明を省略する。光源４３及び限流素子４７〜４９は、実施の形態５で説明したものと同様なので、説明を省略する。
光源４２と光源４３とは、直列に電気接続している。
蓄電状態表示回路１３は、実施の形態５で説明したものと同様である。ただし、限流素子３２は、光源４２と光源４３との接続点に電気接続している。
光源４２が実施の形態５における整流素子５１としての役割を果たすので、非常用照明装置１０は、整流素子５１を有さない。
【００６１】
点灯回路１１が光源回路１４に電力を供給する場合、光源４２，４３がともに点灯する。
蓄電状態表示回路１３が光源回路１４に電力を供給する場合、光源４３は点灯するが、光源４２は点灯しない。
【００６２】
これにより、実施の形態４の効果を奏することができるとともに、実施の形態５の効果を奏することができる。
また、光源４３だけでは停電時に必要な光出力に達しない場合でも、光源４２の光出力を加えることにより、停電時に必要な光出力を確保することができる。
【００６３】
実施の形態７．
実施の形態７について、図１２を用いて説明する。
この実施の形態では、光源回路１４のまた更に別の例について説明する。
なお、実施の形態１〜実施の形態６と共通する部分については、同一の符号を付し、説明を省略する。
【００６４】
図１２は、この実施の形態における非常用照明装置１０の具体的な構成を示す回路図である。
【００６５】
蓄電状態表示回路１３は、実施の形態５と同様なので、説明を省略する。
光源回路１４は、例えば、光源４２と、光源４３と、３つの限流素子４７〜４９とを有する。光源４２は、実施の形態４で説明したものと同様なので、説明を省略する。光源４３及び限流素子４７〜４９は、実施の形態５で説明したものと同様なので、説明を省略する。
光源４２は、光源４３及び限流素子４７〜４９と並列に電気接続している。
【００６６】
点灯回路１１から光源回路１４に対して電力を供給する場合、光源４２と光源４３とがともに点灯するようにするため、光源４２における順方向降下電圧は、光源４３における順方向降下電圧と限流素子４７〜４９の両端電圧との合計と一致するよう、あらかじめ設定される。したがって、ＬＥＤチップ４３１における順方向降下電圧は、光源４２における順方向降下電圧よりも小さい。
【００６７】
蓄電状態表示回路１３から光源回路１４に対して電力を供給する場合、スイッチング素子５６がオンになり、限流素子４７の両端を短絡するので、光源回路１４の入力電圧は、ＬＥＤチップ４３１の順方向降下電圧に等しくなる。これは、光源４２の順方向降下電圧より小さいので、光源４２は点灯しない。
【００６８】
したがって、点灯回路１１が光源回路１４に電力を供給する場合、光源４２，４３がともに点灯する。蓄電状態表示回路１３が光源回路１４に電力を供給する場合、光源４３は点灯するが、光源４２は点灯しない。
【００６９】
このように、光源４２を、光源４３及び限流素子４７〜４９と並列に接続しても、実施の形態６と同様の効果を奏することができる。
【００７０】
以上、各実施の形態で説明した構成は、一例であり、他の構成であってもよい。例えば、異なる実施の形態で説明した構成を、矛盾しない範囲で組み合わせた構成であってもよいし、本質的でない部分の構成を、他の構成で置き換えた構成であってもよい。
【００７１】
蓄電状態表示回路１３は、蓄電池２２に蓄積された電力により、光源回路１４の光源を点灯するのではなく、他の電源回路から電力の供給を受けて、光源回路１４の光源を点灯する構成であってもよい。
また、蓄電状態表示回路１３は、蓄電池２２の両端電圧により蓄電池２２の蓄電状態を判定するのではなく、例えば、充電回路２１が蓄電池２２を充電する充電電流が０になったら蓄電池２２が十分に充電されたと判定するなど、他の方式により、蓄電池２２の蓄電状態を判定する構成であってもよい。
【００７２】
また、停電時と満充電表示時とで光源の点灯状態を変える構成については、点灯する明るさを変える構成、点灯する光源の数を変える構成、及び、放射する光の色を変える構成について説明したが、満充電時は光源を点滅させるなど、異なる構成であってもよい。
【００７３】
また、実施の形態５〜実施の形態７において、蓄電状態表示回路１３は、スイッチング素子５６と直列に限流素子を設け、スイッチング素子５６と限流素子との直列回路を限流素子４７と並列に電気接続する構成であってもよい。
【符号の説明】
【００７４】
１０  非常用照明装置、１０１  開口、１０２  点検スイッチ、１１  点灯回路、１２  蓄電回路、１３  蓄電状態表示回路、１４  光源回路、２１  充電回路、２２  蓄電池、３１，５１  整流素子、３２，４７，４８，４９  限流素子、３３，３７  定電圧素子、３４，５２，５６  スイッチング素子、３５，３６，５４，５５  分圧抵抗、４１，４２，４３  光源、４３１，４３２，４３３  ＬＥＤチップ、５３  プルアップ抵抗、８１  実線、８２，８３，８４，８５，８６  破線、９１  外部電源。
【図１】
2014032853.tif 000003
【図２】
2014032853.tif 000004
【図３】
2014032853.tif 000005
【図４】
2014032853.tif 000006
【図５】
2014032853.tif 000007
【図６】
2014032853.tif 000008
【図７】
2014032853.tif 000009
【図８】
2014032853.tif 000010
【図９】
2014032853.tif 000011
【図１０】
2014032853.tif 000012
【図１１】
2014032853.tif 000013
【図１２】
2014032853.tif 000014